(57)【要約】【課題】縫製工程を無くして針孔からの充填物の吹き出し、雨水の侵入を防止するとともに、充填区画内での充填物の移動・偏りをなくすことにより均一な防寒効果が得られるとともに、充填物の充填量を少なくした薄地の防寒素材をも提供する。【解決手段】本発明の防寒素材１００の第一の素材１０と第二の素材２０を溶着結合した区画線３０は、複数本の接着点列３ａ〜３ｅで直線状に形成されていると共に、隣接する接着点列は間隙Ｐを設けて配設されており、接着点列を構成する接着点３は、区画線長手方向に直交する方向にずらした位置に配設されている。【選択図】図４
2018184678.tif 000002
【特許請求の範囲】
【請求項１】
重合した第一の素材と第二の素材を結合して区画した充填材の収納室に、充填材を収納した防寒素材において、
前記収納室は、第一の素材と第二の素材を溶着結合した区画線で区画され、
該区画線は接着点で構成する複数本の接着点列で直線状に形成されており、隣接する接着点列は間隙を設けて配設されていると共に、隣接する接着点列を構成する接着点は、区画線長手方向に直交する方向において、互いにずらした位置に配設されていることを特徴とする防寒素材。
【請求項２】
複数本の接着点列で構成する区画線は、超音波摩擦熱融着加工により形成されていることを特徴とする請求項１記載の防寒素材。
【請求項３】
請求項１または２記載の防寒素材を表生地と裏生地で挟持してなる防寒素材。
【請求項４】
請求項１または２記載の防寒素材に表生地または裏生地を積層してなる防寒素材。
【請求項５】
重合する第一の素材と第二の素材を線状に結合して区画線を形成し、充填材の収納室を形成する工程と、
該収納室に防寒用の充填材を充填する工程
を有し、
前記区画線の形成は、超音波摩擦熱融着加工により第一の素材と第二の素材を点接着して形成するとともに、
該区画線は、複数列の接着点列で形成されていることを特徴とする防寒素材の製造方法。
【請求項６】
前記区画線の複数の接着点列は、隣接する接着点列との間に間隙を有して配設すると共に、隣接する接着点列の接着点は区画線長手方向に直交する方向に互いにずらした位置に配設する請求項５記載の防寒素材の製造方法。
【請求項７】
区画線の複数列の接着点は、パターンロールの凸列により同時に形成されることを特徴とする請求項５または６記載の防寒素材の製造方法。
【請求項８】
請求項１ないし４記載の防寒素材により構成された防寒衣料。
【発明の詳細な説明】
【技術分野】
【０００１】
本発明は、防寒用の充填材を充填した防寒素材に関する。
【背景技術】
【０００２】
羽毛、綿などの防寒に適した充填材を充填した防寒素材は、防寒用衣料、山岳道具、および寝具類として多用されている。
通常、表地と裏地の間に防寒用の充填材を介在させた防寒用素材は、表地と裏地とを縫製などの結合手段により充填材を収納する収容区域（収納区画）を形成し、この区域内に充填材を充填させて構成している。
しかし、製造工程において、又は、製品として使用中に、充填されている防寒（充填）材が移動して、偏ってしまう不具合が発生した。充填材が偏ると均一な防寒を達成することが出来ず、希望する防寒効果を奏さない不良品となってしまった。
そこで、製造、使用中での充填材の移動、偏りを少なくするためには、充填物の充填量を多くして、収容区域内での充填材の移動（動き）を防御したり、充填区画域を狭くして、充填密度を高める必要がある。
【０００３】
しかし、充填物を多くすると防寒素材の厚さが厚く、重くなってしまった。また、充填区画域を狭くするためには、表地と裏地との結合手段としての縫製工程が増加し、労力負担が増加した。さらに、縫製箇所を多くすると、表地、裏地に縫い糸が重なって結合部分がごろつき感となるとともに、縫い糸による針孔が多数形成されるため、この孔より充填物の綿繊維、羽毛が吹き出したり、雨水が侵入する不具合が発生した。
そこで、特許文献１では、防寒ウエアーの保温材充填区画形成のためのステッチ部分に、ホットメルトテープを融着して裏地に対する縫い目を閉塞する技術が開示されている。
【先行技術文献】
【特許文献】
【０００４】
【特許文献１】実用新案登録第３１０５９２５号公報
【発明の概要】
【発明が解決しようとする課題】
【０００５】
しかし、開示されている技術も縫製作業を必要としている。
そこで、本発明は、縫製工程を無くして針孔からの充填物の吹き出し、雨水の侵入を防止するとともに、充填区画内での充填物の移動・偏りをなくすことにより均一な防寒効果が得られるとともに、充填物の充填量を少なくした薄地の防寒素材をも提供するものである。
【課題を解決するための手段】
【０００６】
本発明の防寒素材は、第一の素材と第二の素材を溶着結合した区画線で形成した収納室に充填材を収納している。該区画線は複数本の接着点列で直線状に形成されていると共に、隣接する接着点列は間隙を設けて配設されており、隣接する接着点列を構成する接着点は、区画線長手方向に直交する方向に互いにずらした位置に配設されている構成を具備している。
【発明の効果】
【０００７】
本発明の防寒素材は、縫製箇所が無いので、従来の防寒素材の様な針孔からの充填材の吹き出し雨水の侵入が防止できる。また、接着点の列で構成する区画線は、通気性を有しながら収納室間の充填物の移動を防止できる。そして、隣接する収納室への充填材の移動がないので、充填材の偏りが無くなり、充填材の充填量を少なくしても均一な防寒効果を達成できる。また、充填材の充填量を少なくして素材の厚さを薄くすることが出来、薄手の防寒素材を提供することが出来る。
【図面の簡単な説明】
【０００８】
【図１】図１は、防寒衣服の説明図。
【図２】図２は、図１点線部分の拡大図。
【図３】図３は、図２線Ｘ−Ｘ断面図。
【図４】図４は、図２一点鎖線で示す部分の区画線の上面図。
【図５】図５は、区画線内の空気の移動の説明図。
【図６】図６は、比較例の説明図。
【図７】図７は、防寒素材の第２実施例の断面説明図。
【図８】図８は、防寒素材の第２実施例の斜視図。
【図９】図９は、防寒素材の第２実施例の断面説明図。
【図１０】図１０は、防寒素材の第３実施例の説明図。
【発明を実施するための形態】
【０００９】
以下、本発明の実施の形態について、図面を用いて説明する。
図１に示すように、防寒用の衣服１は、防寒素材１００を縫製して形成されている。
【００１０】
防寒用衣服１の前身頃２を構成する防寒素材１００を説明する。
図２は、防寒用衣服１の前身頃２の点線で囲んだ部分を切り出し、拡大した説明図、図３は図２線Ｘ−Ｘの断面図である。
防寒素材１００は、第一の素材１０と第二の素材２０の間隙に、繊維綿、羽毛、ダウンなどの防寒用充填材Ｆを充填して構成される。
防寒素材を構成する第一の素材１０、第二の素材２０はポリエステルなどの熱可塑性の素材を用いている。
【００１１】
防寒素材１００はポリエステル等よりなる第一の素材１０と第二の素材２０を積層し、第一の素材１０と第二の素材２０を線状に結合して区画線３０を形成する。そして、区画線３０と区画線３０で囲まれる空間を収納室５とする。この収納室５に防寒用充填材Ｆを充填して、防寒素材を形成している。
充填材Ｆは、防寒用の素材として通常に用いられている、繊維綿、フェザー、ダウンなどである。
【００１２】
第一の素材１０と第二の素材２０の結合を説明する。
幅方向に間隔をもって凸部を形成した超音波摩擦熱融着加工機のパターンローラーに、第一の素材１０と第二の素材２０をおき、凸部形成部分に超音波を当てる（ピンソニック加工）。超音波の振動エネルギー（超音波摩擦熱融着加工）により、熱可塑性素材よりなる第一の素材１０と第二の素材２０は、パターンローラーに形成された凸部に当接部分が熱溶融して点状に接着される。
このように、区画線３０は第一の素材１０と第二の素材２０がパターンローラーの凸部の大きさに溶着（接着）した接着点３で、構成されている。
【００１３】
図４、図５により、区画線３０を詳述する。図４は区画線３０上面説明図、図５は区画線内の空気の移動を説明する図面である。
区画線３０は、区画線３の巾Ｗの間に接着点３で構成する列が、複数列形成される。図示する区画線３０は、端縁の第１の接着点列３ａから他端縁の第５の接着点列３ｅまで、５列の接着点列で形成されている例を示している。
すなわち、パターンローラーには一定間隔に突設する凸起列が５列並設されており、パターンローラーに載置した第一の素材１０、第二の素材２０は超音波摩擦熱融着加工（ピンソニック加工）により、５列の凸部頂点形状の接着点３の列が形成される。
さらに、第１の接着点列３ａと第２の接着点列３ｂ、第２の接着点列３ｂと第３の接着点列３ｃは間隙Ｐを設けて配設されている。同様に第３の接着点列３ｃと第４の接着点列３ｄ、第４の接着点列３ｄと第５の接着点列３ｅも間隙Ｐを設けて配設されている。
【００１４】
また、端縁に配設する第１の接着点列３ａと、隣接する第２の接着点列３ｂを構成する接着点３は、区画線３０の長手方向Ｎに直交する方向Ｍに互いにずらした位置となっている。
同様に、第２の接着点列３ｂと、隣接する第３の接着点列３ｃの接着点３は、区画線３０の長手方向Ｎに直交する方向Ｍに互いにずらした位置となっており、第３の接着点列３ｃと、隣接する第４の接着点列３ｄの接着点３は、区画線３０の長手方向Ｎに直交する方向Ｍに互いにずらした位置、第４の接着点列３ｄと、隣接する第５の接着点列３ｅの接着点３は、区画線３０の長手方向Ｎに直交する方向Ｍに互いにずらした位置となっている。
【００１５】
このように構成する区画線３０の空気の流通を説明する。・・・・図５参照
接着点列３ａ〜接着点列３ｅの接着点３を上記の位置に配設とすることにより、区画線３０で区画されている隣り合う収納室５Ａと収納室５Ｂにおいて、収納室５Ａから収納室５Ｂへの空気は、矢印で示すように、接着点３の間、および接着点列の間隙Ｐを通って流れ、隣り合う収納室間（収納室５Ａと収納室５Ｂ）は通気可能となる。反対からの空気も同様に、隣り合う収納室５Ｂから収納室５Ａへ接着点列の接着点３の間隙Ｐを通って通気可能となる。
また、区画線３０の隣接する接着点列の接着点３は、長手方向Ｎに直交する方向Ｍにずらした位置に配設されているので、収納室５Ａに収納される充填材Ｆは、隣接する接着点列の重合していない接着点３部分が障害となって、空気の流れと共に充填材Ｆが隣の収納室５Ｂに移動することはない。同様に、収納室５Ｂに収納されている充填材Ｆは、隣接する接着点列の接着点３の重合していない部分が障害となって、空気の流れと共に隣の収納室５Ａに移動することはない。
【００１６】
上記のように、接着点列の間隙Ｐ、接着点列の接着点３の配設間隔は、収納室に収納される充填物の単体が通過できない大きさとするものである。
図示した例では５列の接着点列で説明したが、接着点列は接着点の大きさにもよるが、２列〜１５列とすることができる。また、区画線の幅寸法Ｗは、１．５ｍｍ〜３０ｍｍが考えられる。
また、上記実施例では、隣接する接着点列の接着点を、区画線３０の長手方向Ｎに直交する方向Ｍに互いにずらした位置としているが、区画線３０の長手方向Ｎに直交する方向Ｍに、完全に重合していなければ互いに一部を重合した位置に配設しても良い。
【００１７】
さらに、接着点の形状は、図示する正方形状の他、長方形状、丸形状、三角形状、星形状等、任意形状を用いることができる。
【００１８】
ここで、比較例として、区画線が密閉された構造の場合を図６に示す。図示のように、収納室の空気が→方向に移動した場合、充填物Ｆは密封する区画線３００方向に押しやられ、収納室内に充填される充填物は区画線３００側に偏ってしまう。または、さらに収納室内の空気圧が高くなると、密封区画線３００は破断してしまう。そして、区画線３００の破断箇所から空気と共に充填物が隣の収納室に流入する不具合が発生する。充填物が流出した収納室は、充填物が少なくなり防寒効果が薄れる。そして、流入した収納室の充填物は多くなり、防寒素材の充填物の均一性が崩れて、防寒素材としての防寒効果が低下する。
【００１９】
しかし、本発明の区画線３０は空気の通気を可能としているので、空気圧による破断が無く、さらに、収納室５Ａ，５Ｂに収納される充填材は、隣接する収納室間を移動することがない。
また、収納室内の防寒材を均一に保持できるので、防寒効果を高め、防寒素材の板厚を薄くしても、均一な防寒効果を維持することが出来る。
【００２０】
以上説明したように、本発明は、防寒素材を薄く形成することが出来るので、軽量で意匠効果の高い防寒衣服、薄手の防寒シートなど使用範囲が拡がり、真冬のみに限らず秋・春用の素材としても使用できる。
【００２１】
第２実施例
この実施例は、第一の素材と第二の素材の２層構造の防寒素材１００を、表生地７０、裏生地８０で挟持して、４層構造とした防寒素材を示している。・・・・・図７，８参照
表生地７０と裏生地８０で挟持されている防寒素材１００は、区画線を介して隣り合う収納室内の空気が通気可能となっているので、均一な防寒効果を奏する板厚の薄い素材であって、表生地７０、裏生地８０で挟持して４層構造としても薄く、防寒効果の高い素材を提供する。
【００２２】
あるいは、防寒素材１００に裏生地（あるいは表生地）９０を添設して、３層構造としてもよい。この防寒素材も薄い防寒素材として多用できる。・・・・図９参照
この実施例の防寒素材は、挟持する、あるいは添設する生地の素材の選択幅が拡がり、使用目的に合わせた素材、例えば羊毛、絹等を用いることが可能となる。防寒素材としての使用範囲が多岐となる。
【００２３】
第３実施例
この実施例は、区画線３０に装飾を施した例を示している。
例えば、図１０に示すように、区画線３０の線幅内に装飾糸で縫い目５０を形成する。
通常、縫製すると縫い針の挿通孔が形成されて、この孔より収納されている充填材が吹き抜ける不具合が発生した。しかし、本発明の区画線３０は、接着点が障害となって接着点列を充填物が通り抜けることが出来なく、区画線にできる針孔からの充填物の吹き出しが無い。
実施例では装飾糸による縫製を例示したが、様々な糸により模様を形成したり、別の布を取りつけたアップリケを施したりと、趣向を凝らすことができる。
この実施例の防寒素材は区画線が装飾領域となり、意匠効果の高い防寒素材を提供できる。
【００２４】
本発明は上述の実施例に限定されるものではなく、様々な変形例が含まれる。
すなわち、上述の実施例は本発明を判り易く説明するものであり、必ずしも全ての構成を備えるものに限定されるものではなく、実施例の構成の一部に他の構成の追加・削除・置換をすることが出来る。
【符号の説明】
【００２５】
３  接着点
３ａ〜３ｅ  接着点列
５Ａ，５Ｂ  収納室
１０  第一の素材
２０  第二の素材
３０、３００  区画線
７０  表生地
８０  裏生地
１００  防寒素材
【図１】
2018184678.tif 000003
【図２】
2018184678.tif 000004
【図３】
2018184678.tif 000005
【図４】
2018184678.tif 000006
【図５】
2018184678.tif 000007
【図６】
2018184678.tif 000008
【図７】
2018184678.tif 000009
【図８】
2018184678.tif 000010
【図９】
2018184678.tif 000011
【図１０】
2018184678.tif 000012